(57)【特許請求の範囲】
【請求項１】
ハウジング（１，２）内に回転可能に支持されており、かつ第１のスライド表面（２９）を有する中空シャフト（３）と、
前記ハウジング（１，２）内に回転に関して固定された態様で前記シャフト（３）と同軸に配置されており、かつ前記第１のスライド表面（２９）と接触するための第２のスライド表面（３０）を有するシール部材（３１）と、
前記ハウジング（１，２）内に配置されており、かつ前記２つのスライド表面（２９，３０）の間において漏れ出した漏出流体を収集するための機能を提供する収集チャンバ（２７）と、を備え、回転機械部品に流体を供給するロータリージョイントにおいて、
前記ハウジング（１，２）内に備えられる検出チャンネル（２６，３３，３４，３７，３９，４７）が、前記収集チャンバ（２７）に接続され、かつ漏出センサ（４１）を含み、
前記検出チャンネル（２６，３３，３４，３７，３９，４７）は、
前記中空シャフト（３）の内側エンド上に配置されたクランプ部材（１２）とハウジング（１，２）内に配置されたシールスリーブ（２４）との間の第１の環状ギャップ（２６）と、
前記回転中空シャフト（３）を支持するためのベアリング（５，６，７）の外側リングと内側リング（４５，４６）の間の流路（４７）と、
前記中空シャフト（３）の環状フランジ（３２）と前記ハウジング（１，２）との間の環状ギャップ（３４）と、
前記ベアリング（５，６，７）に面する前記環状フランジ（３２）の面上のラジアルギャップ（３３）と、によって中空シャフト（３）に沿って延びるように形成される内側漏出チャンネル（２６，３３，３４，４７）と、
前記内側漏出チャンネルに対して半径方向にオフセットされ、中空シャフト（３）に沿って延びる少なくとも１つの外側漏出チャンネル（３７，３９）と、を包含すること、
を特徴とするロータリージョイント。
【請求項２】
請求項１に記載のロータリージョイントであって、
前記外側漏出チャンネル（３７，３９）は、
前方ハウジング部分（１）内において前記中空シャフト（３）と平行に延びる少なくとも１つの軸方向穴（３７）と、
前記ハウジング（１，２）の後方ハウジング部分（２）内の、前記軸方向穴（３７）に接続される受け穴（３９）と、によって形成されること、
を特徴とするロータリージョイント。
【請求項３】
請求項２に記載のロータリージョイントであって、
前記軸方向穴（３７）は、前記前方ハウジング部分（１）内において、前記収集チャンバ（２７）の漏出開口（１５）と正反対側に配置されること
を特徴とするロータリージョイント。
【請求項４】
請求項２または３に記載のロータリージョイントであって、
前記内側漏出チャンネル（２６，３４，４７）が、前記クランプ部材（１２）のエンドフランジ（１１）と前記シールスリーブ（２４）の後面の間のラジアルギャップ（２５）を介して前記収集チャンバ（２７）と接続されること
を特徴とするロータリージョイント。
【請求項５】
請求項２から４のいずれか１項に記載のロータリージョイントであって、
前記内側漏出チャンネル（２６，３４，４７）は、ラジアルチャンネル（２５）を介して前記外側漏出チャンネル（３７，３９）と接続されること
を特徴とするロータリージョイント。
【請求項６】
請求項２から５のいずれか１項に記載のロータリージョイントであって、
前記漏出センサ（４１）は、前記後方ハウジング部分（２）の前記受け穴（３９）内に突き出ていること
を特徴とするロータリージョイント。
【請求項７】
請求項１から６のいずれか１項に記載のロータリージョイントであって、
前記漏出センサ（４１）は、フローセンサの形式で実現され、計測温度が流量によって変化する原理に従って動作すること
を特徴とするロータリージョイント。
【発明の詳細な説明】
【技術分野】
【０００１】
本発明は、回転機械部品に流体を供給するロータリージョイントの構造に関する。
【背景技術】
【０００２】
回転する機械部分に流体を供給するためのこのタイプのロータリージョイントは、特許文献１から周知である。このロータリージョイントは、ハウジング内に回転可能に支持されており、かつ第１のスライド表面を有する中空シャフト、ハウジング内に回転に関して固定された態様で中空シャフトと同軸に配置されており、かつ中空シャフトのスライド表面と接触するための第２のスライド表面を有するシール部材、およびハウジング内に配置されており、かつ回転する中空シャフトのスライド表面と、回転に関して固定されたシール部材のスライド表面の間において漏れ出した漏出流体を収集することのできる収集チャンバを備える。この収集チャンバは、漏出開口に接続されており、それを通して収集チャンバ内に収集される漏出流体を排出することができる。２つのスライド表面の間の境界面において、通常はロータリージョイントを通って運ばれる流体のわずかな量しか漏れ出さないことから、一般に収集チャンバ内に収集された漏出流体を時折排出するか、あるいは対応するラインを介して常時排出することで充分である。しかしながら、動作間の特定の情況においては、より多くの量の漏出流体が漏れ出す可能性もある。これは、収集チャンバ内に漏出流体があふれ、その結果、ロータリージョイントがダメージを受けるリスクに関連付けされる。
【０００３】
【特許文献１】独国特許出願公開第１０２２５２７２号明細書
【発明の開示】
【発明が解決しようとする課題】
【０００４】
本発明は、ロータリージョイント内に収集される漏出流体を監視することを可能にすることを目的とする。
【課題を解決するための手段】
【０００５】
この目的は、特許請求の範囲の請求項１の特徴を伴うロータリージョイントを用いて達成される。本発明の実用的な実施態様ならびに有利な追加の開発については、従属項に開示されている。
【０００６】
本発明のロータリージョイントにおいては、ハウジング内に備えられる独立した検出チャンネルが収集チャンバに接続されており、漏出流体を測定するための漏出センサを含んでいる。この検出チャンネルは、収集チャンバから分かれ、従来的な収集チャンバおよび対応する漏出開口を介して漏出流体が適切に排出されない場合、あるいは機能障害、たとえばねじれまたは詰まり等が排出ライン内に生じた場合にそれが検出チャンネルだけを通って正常に流れるような方法で実現される。漏出流体は、収集チャンバ内にそれがあふれると、追加の検出チャンネルを通ってだけ流れ、その端部において、その場所に配置された漏出センサによって検出される。これは、ロータリージョイントの機能的な臨界状態を検出することを可能にし、ロータリージョイントへのダメージを防止する。
【０００７】
１つの好ましい実施態様においては、漏出センサがフローセンサの形式で実現され、好ましくはそれが計測温度が流量によって変化する原理に従って動作し、温度補償回路を備える。これは、水性流体だけでなく、たとえば鉱物油等の無極性流体の検出も可能にする。当然のことながら、このほかの適切なセンサの使用も可能となる。
【０００８】
漏出センサは、好ましくはハウジング内に配置される評価回路を伴ったプリント回路基板と接続される。全体のセンサ構成および評価回路は、このようにハウジング内に組み込まれ、したがって非常に良好に汚損および電磁障害からシールドされる。
【０００９】
本発明の特に好都合な１つの実施態様においては、検出チャンネルが、ロータリージョイントのハウジングを通って迷路の形式で延び、中空シャフトに沿って延びる内側漏出チャンネルをはじめ、その内側漏出チャンネルに関して半径方向にオフセットされた少なくとも１つの外側漏出チャンネルを備える。
【００１０】
半径方向に内側となる漏出チャンネルは、好ましくは、中空シャフトの内側エンド上に配置されたクランプ部材とハウジング内に配置されたシールスリーブの間の第１の環状ギャップ、回転中空シャフトを支持するためのベアリングの外側リングと内側リングの間の流路、中空シャフトの環状フランジとハウジングの間の第２の環状ギャップ、およびベアリングに面する環状フランジの面上のラジアルギャップによって形成される環状チャンネルの形式で実現される。１つの好ましい実施態様においては、収集チャンネルと内側漏出チャンネルの間の流体接続が、クランプ部材のエンドフランジとシールスリーブの後面の間のラジアルギャップの形式で実現される。
【００１１】
半径方向に外側となる漏出チャンネルは、好ましくは、前方ハウジング内において中空シャフトと平行に延びる少なくとも１つの軸方向穴である軸方向ボアおよび後方ハウジング内の、軸方向ボアに接続される受けボアによって形成される。内側漏出チャンネルと外側漏出チャンネルの間の流体接続は、ロータリージョイントの前方領域内に配置されるラジアルチャンネルの形式で具体化される。
【発明の効果】
【００１２】
本発明は、ロータリージョイント内に収集される漏出流体を監視することを可能にするこという効果を奏する。
【発明を実施するための最良の形態】
【００１３】
本発明のこのほかの特徴ならびに利点については、以下の図面を参照した１つの好ましい実施態様の説明の中に開示されている。
【００１４】
図１および２に略図的に例示されているロータリージョイントは、図の右側に配置されている前方ハウジング部分１および前方ハウジング部分と緊密に接続される後方ハウジング部分２を伴うハウジングを含む。中心のスルーチャンネル４を伴う中空シャフト３が、前方ハウジング部分１内に、いくつかの連続して配置されたベアリング５、６、および７によって中心軸８周りに回転可能に支持されている。内側のねじ山１０が備えられたクランプ部材１２およびエンドフランジ１１が、ハウジング部分１内に配置された中空シャフト３の内側端部上の外側のねじ山９の上に螺合されている。このクランプ部材１２は、ベアリング５、６、および７に、ハウジング部分１の内側の環状ステップ１３に対する圧縮応力を与える。たとえば、機械ツールのワークスピンドルに組み込まれたツールテンショナの中空テンションロッドを、図の右側になる中空シャフト３の外側端部において、半径方向にシールされた態様でスルーチャンネル４内に挿入することができる。外側に通じる漏出開口１５を伴うリングチャンネル１４が、中空シャフト３の内側端部の領域内において、前方ハウジング部分１の内壁上に備えられている。
【００１５】
後方ハウジング部分２は、中心のスルーチャンネル１６および、そのスルーチャンネルをＵ字形態様で取り囲み、カバー１８によって閉じることの可能な受けチャンバ１７を含む。たとえば冷却潤滑剤を機械ツールのワークスピンドルに供給するための流体供給ラインを、スルーチャンネル１６の後端上のねじ山付きボア１９を使って、動かない後方ハウジング部分２に接続することができる。後方ハウジング部分２は、前方ハウジング部分１を向く面上に、ラジアルスルー開口２０が備えられた中空の円筒状突起２１を備え、その突起が前方ハウジング部分１内に突き出ており、ラジアルシール２２が備えられたシールスリーブ２４および圧縮応力印加スプリング２３をベアリング５に対して加圧する。段付きのシールスリーブ２４の後面とクランプ部材１２のエンドフランジ１１の前側の間にはラジアルギャップ２５が形成されており、シールスリーブ２４の内壁とクランプ部材１２の外壁の間には第１の環状ギャップ２６が形成されている。収集チャンバ２７は、後方ハウジング部分２の中空の円筒状突起２１内に形成されており、ラジアルスルー開口２０を介してリングチャンネル１４および漏出開口１５と接続されている。
【００１６】
中空シャフト３の後端に挿入された第１のシール部材２８は、回転に関して固定された態様で当該中空シャフト内に接続されており、それとともに回転する。このシール部材は、中空シャフト３の後端において広げられたスルーチャンネル４の部分に挿入される。シール部材２８は、その後面上に、後方ハウジング部分２内に回転に関して固定された態様で配置される第２のシール部材３１の前面上のスライド表面３０と接触するスライド表面２９を備える。第２のシール部材３１は、供給チャンネル１６の前端上に配置されており、後方ハウジング部分２を通って延び、図示していない加圧スプリングによって第１のシール部材２８に対して軸方向に加圧される。これら２つのシール部材２８および３１は、好ましくはたとえばセラミック等の摩耗耐性があり、かつ熱的に安定した材料からなる。２つのスライド表面２９および３０の領域内に配置される収集チャンバ２７は、これらのシール部材２８および３１の２つのスライド表面２９および３０の間における漏出流体の形式で漏れ出すことの可能な流体を収集するための機能を提供する。収集チャンバ２７内に収集された漏出流体は、ラジアルスルー開口２０、リングチャンネル１４、および漏出開口１５を経由して排出することが可能である。
【００１７】
図２は、特に、ハウジング部分１の前方領域内のベアリング７の正面に配置される環状フランジ３２を備えた中空シャフト３を示している。狭いラジアルギャップ３３が、環状フランジ３２のベアリング側を向く面上の、ベアリング７と環状フランジ３２のその面の間に形成されている。第２の環状ギャップ３４が、環状フランジ３２の外側とハウジング部分１の間に形成されている。この場合にはラジアルボアの形式で実現され、ハウジング部分１の外側においてねじ山付きのピンの形式のプラグ３６によってシールされるラジアルチャンネル３５が、この第２の環状ギャップ３４に通じている。このラジアルチャンネル３５は、ベアリング５〜７の半径方向外側において中空シャフト３と平行に、前方ハウジング部分１の全長にわたって延びる軸方向ボア３７に接続されている。軸方向ボア３７は、漏出開口１５と正反対側のハウジング１内に配置される。
【００１８】
軸方向ボア３７は、これも図２において右側の前端にあるねじ山付きのピンの形式で実現されているプラグ３８を用いてシールされており、その反対側の後端において、後方ハウジング部分２内のラジアル排出開口４０を伴う、広げられた受けボア３９に通じている。この場合においてはフローセンサの形式で実現される漏出センサ４１が、受けボア３９内に突き出ており、後方ハウジング部分２内の受けチャンバ１７内に収容されるプリント回路基板４２に接続されている。漏出センサ４１によって獲得された信号を評価するための対応する評価エレクトロニクスを、このプリント回路基板４２上に配置することができる。プリント回路基板４２からソケット４４に、評価エレクトロニクスを外部コントロールまたはディスプレイデバイスに接続するためのライン４３がつながっている。
【００１９】
中空シャフトに沿って延びる内側漏出チャンネルが、中空シャフト３の内側エンド上に配置されたクランプ部材１２とシールスリーブ２４の間の第１の環状ギャップ２６、ベアリング５〜７の外側リング４５と内側リング４６の間の流路４７、中空シャフト３の環状フランジ３２とハウジング部分１の間の第２の環状ギャップ３４、および環状ギャップ３３によって形成されているが、それにおいてこの内側漏出チャンネルは、クランプ部材１２のエンドフランジ１１とシールスリーブ２４の後面の間のラジアルギャップ２５を介して収集チャンバ２７に接続される。図２は、ベアリング５だけが断面の形式で例示されていることから簡略化されている。ほかの２つのベアリング６および７も対応する流路４７を備える。外側漏出チャンネルは、軸方向ボア３７および受けボア３９によって形成され、ラジアルチャンネル３５を経由して内側漏出チャンネルと接続されている。
【００２０】
以上述べたロータリージョイント内の収集チャンバ２７内に漏出流体があふれると、それがラジアルギャップ２５を経由して内側漏出チャンネルに、そこからラジアルチャンネル３５を通って外側漏出チャンネルに流れ、その端部において漏出センサ４１によって検出される。
【図面の簡単な説明】
【００２１】
【図１】ロータリージョイントを通る第１の縦方向断面図である。
【図２】図１の示すロータリージョイントを通る第２の縦方向断面図である。
【符号の説明】
【００２２】
１  前方ハウジング部分、２  後方ハウジング部分、３  中空シャフト、４  スルーチャンネル、５，６，７  ベアリング、８  中心軸、９，１０  ねじ山、１１  エンドフランジ、１２  クランプ部材、１３  環状ステップ、１４  リングチャンネル、１５  漏出開口、１６  スルーチャンネル、１７  受けチャンバ、１８  カバー、１９  ねじ山付きボア、２０  ラジアルスルー開口、２１  円筒状突起、２２  ラジアルシール、２３  圧縮応力印加スプリング、２４  シールスリーブ、２５，３３  ラジアルギャップ、２６  第１の環状ギャップ、２７  収集チャンバ、２８  第１のシール部材、２９，３０  スライド表面、３１  第２のシール部材、３２  環状フランジ、３４  第２の環状ギャップ、３５  ラジアルチャンネル、３６，３８  プラグ、３７  軸方向ボア、３９  受けボア、４０  ラジアル排出開口、４１  漏出センサ、４２  プリント回路基板、４３  ライン、４４  ソケット、４５  外側リング、４６  内側リング、４７  流路。
【図１】
0004473243.tif 000002
【図２】
0004473243.tif 000003